(57)【特許請求の範囲】
【請求項１】
毛髪を加熱するために用いられ、温度が温度制御によって調節される加熱要素を有する毛髪処理装置（１００、２００、３００）であって、毛髪の温度差を測定する２つのセンサを有し、
前記温度差に基づいて前記温度制御を行い、
前記毛髪処理装置は毛髪と接触するための加熱表面（２５０）を有する毛髪をまっすぐにする器具（２００）であり、
毛髪を送り通す方向において、前記加熱表面（２５０）の前方部分が第１のセンサ（２７０）を有し、前記加熱表面の後方部分が第２のセンサ（２７２）を有し、
前記毛髪処理装置の毛髪との最初の接触が、設定温度で起こり、
前記第１の温度センサと前記第２の温度センサとの間で著しい温度差が測定されるとき、前記設定温度が上がり、
前記第１の温度センサと前記第２の温度センサとの間で無視できる温度差が測定されるとき、前記設定温度が下がることを特徴とする、毛髪処理装置（１００、２００、３００）。
【請求項２】
前記センサが、前記毛髪処理装置（１００、２００、３００）に取り付けられる、請求項１に記載の毛髪処理装置（１００、２００、３００）。
【請求項３】
前記センサが、毛髪と直接的に又は間接的に接触する、請求項１又は２に記載の毛髪処理装置（１００、２００、３００）。
【請求項４】
毛髪処理装置を用いた加熱式毛髪処理の方法において、
加熱表面を有し、毛髪処理装置に毛髪が接触する方向における前方部分と後方部分とを有する加熱要素を備えた毛髪処理装置であって、前記加熱要素が温度制御によって調整され、第１の温度センサが前記加熱表面の前方部分に隣接し、第２の温度センサが前記加熱表面の後方部分に隣接する、毛髪処理装置を提供することと、
前記毛髪処理装置に毛髪を接触させ、前記温度センサが温度を測定し、前記温度制御が前記第１の温度センサと前記第２の温度センサによって測定された温度差を決定し、当該温度測定に基づいて前記温度制御が自動的に処理温度を調整することと、
を備え、
前記毛髪処理装置は毛髪と接触するための加熱表面（２５０）を有する毛髪をまっすぐにする器具であり、
前記毛髪処理装置の毛髪との最初の接触が、設定温度で起こり、
前記第１の温度センサと前記第２の温度センサとの間で著しい温度差が測定されるとき、前記設定温度が上がり、
前記第１の温度センサと前記第２の温度センサとの間で無視できる温度差が測定されるとき、前記設定温度が下がる、加熱式毛髪処理の方法。
【発明の詳細な説明】
【技術分野】
【０００１】
本発明は、毛髪処理装置、及び対応する毛髪処理方法に関する。毛髪処理装置として本明細書で検討されるのは、詳細には、ヘアドライヤー、髪巻きアイロン及び毛髪をまっすぐにする器具である。本発明は、家庭及び美容院の双方で使用することができる。本発明は、詳細には、毛髪処理装置の温度制御、及び関連する方法に関する。
【背景技術】
【０００２】
英国出願第２  １４７  ２０４（Ａ）号（出願者：Ｊ．Ｈ．Ｄｏｗｎｅｙ）は、水分センサを有する毛髪くしを開示する。このくしは、毛髪の乾燥度を光学的に示すように設計される。したがって、このくしは、例えばヘアドライヤーと一緒に使用することができる。例えば、ユーザーは片手にくしを持ち、もう一方の手にヘアドライヤーを持って、くしに表示されるデータに基づいて、まだ濡れている毛髪の部分に暖風の流れを向けることができる。
【０００３】
英国特許出願第２  ４３２  ３１０（Ａ１）号（Ｊｅｍｅｌｌａ  Ｌｔｄ．）は、温度計及びスイッチング回路を有し、その要素が、フラットアイロンのスイッチがある一定の最低温度に達した後のみオンになることを確実にするように設計されるフラットアイロンを開示する。この開示によると、好適な最低温度は、およそ０℃〜１０℃である。同出願が説明するように、ある一定の閾値以下の温度で（装置の）スイッチをオンにすることは不利になる場合があり、詳細には、そうすることで、フラットアイロンは発生する任意の結露によって破損する可能性があるからである。
【０００４】
欧州特許明細書第ＥＰ０  １７６  ００３（Ｂ１）号（Ｗｅｌｌａ  ＡＧ）は、毛髪を乾かすフードを用いて使用することができる毛髪中の水分の量を測定し調節する方法を開示する。典型的には、美容院で使用される毛髪乾燥フードは、一般的に戻り通風ダクトを備える。そして、湿度センサをこの戻り通風ダクトに取り付けることができる。このセンサは、ひいては乾燥プログラムのスイッチをオフにする信号を生成するように設計される。
【０００５】
欧州特許出願第ＥＰ１  ４００  １８７（Ａ１）号（Ｃｈｏ）は、フラットアイロンの温度を一定に保持できるスイッチング回路を開示する。他の多くのスイッチング回路と同様に、この例示的なスイッチング回路は、温度センサから測定データを受け取るように設計され、可能な範囲内でフラットアイロンを一定の設定温度に保持するように設計される。したがって、温度センサは、温度を変えるためではなく、むしろ一度設定された温度を一定に保持するために使用される。
【０００６】
したがって、従来技術はいくつかの欠点及び制限を有する。詳細には、温度調節及びプロセス制御における様々な試みにもかかわらず、自動的かつ便利に温度を制御する方法は発見されていない。
【先行技術文献】
【特許文献】
【０００７】
【特許文献１】英国特許出願第２  ４３２  ３１０（Ａ１）号
【特許文献２】英国特許出願第２  ４３２  ３１０（Ａ１）号
【特許文献３】欧州特許明細書第ＥＰ０  １７６  ００３（Ｂ１）号
【特許文献４】欧州特許出願第ＥＰ１  ４００  １８７（Ａ１）号
【発明の概要】
【発明が解決しようとする課題】
【０００８】
本発明の課題は、毛髪処理装置、及び毛髪の特性を測定することができ、温度制御を毛髪処理装置に使用することができる対応する方法を提供することである。
【０００９】
この課題は、請求項１に記載の毛髪処理装置、及び請求項１１に記載の毛髪処理方法によって解決される。
【図面の簡単な説明】
【００１０】
【図１】髪巻きアイロン。
【図２】毛髪をまっすぐにする器具の斜視図。
【図３】毛髪をまっすぐにする器具を貫通した概略断面図。
【図４】アタッチメントを備えたヘアドライヤー。
【発明を実施するための形態】
【００１１】
本発明は、毛髪処理装置、及び対応する毛髪処理方法に関する。（本発明は）毛髪を加熱するのに好適であり、開始温度まで加熱されて温度が温度制御によって調節される加熱要素を有する毛髪処理装置（に関し）、毛髪処理装置は、毛髪の状態に基づくパラメータを生成することができるデータを測定するセンサを有し、パラメータは温度制御に影響を及ぼす。
【００１２】
したがって、本発明は、一般的に毛髪処理装置に関し、装置は専門職用、つまり一般的に美容院で使用される毛髪処理装置であり得る。これらの装置はまた、詳細には、毛髪乾燥フードである。毛髪処理装置はまた、家庭で使える典型的な装置、例えば、ヘアドライヤー、熱風ブラシ、髪巻きアイロン及びフラットアイロンのうちの１つであってもよい。これらの装置はすべて、装置に応じて様々な形状で実行される少なくとも１つの加熱要素を有する。ヘアドライヤー及び乾燥フードの場合は、典型的には加熱したワイヤの配列からなる空気加熱器が一般的である。大半の他の装置もまた、例えば、フラットアイロンの場合は、加熱板の形状の抵抗加熱器を使用する。場合によっては、例えば、ガソリンエンジン装置の場合、非電気式加熱器が提供される。
【００１３】
装置のスイッチがオンになると、この加熱要素は開始温度まで加熱される。前記開始温度に達する前に装置が既に使用されている場合もある。しかしながら、装置のスイッチがオンになるとき、開始温度はあらかじめ設定されている。例えば、別の温度を選ぶことができない単純な電源スイッチである場合がある。電源スイッチに加えて、開始温度を選ぶことができる制御ユニットがまたあってもよい。
【００１４】
毛髪処理装置の加熱要素の温度が今や、温度制御によって調節されるようになる。この温度制御は既に開始温度を調節している場合があり、又は開始温度に達するや否や制御が有効になる場合があり、温度制御はまた温度の任意の変化を調節するためにも作用する。しかしながら、装置のスイッチをオフにすることは、温度制御のタスクではない。しかし、代替として又は追加として、詳細にはフラットアイロン及び髪巻きアイロンの場合には、温度制御がまた装置をオフにし、そのプロセスでまた、一時的に又は永久に、加熱要素のスイッチをオフにすることができる。
【００１５】
本発明では、毛髪処理装置は、毛髪の状態に基づいてパラメータを生成することができるデータを測定する内蔵型センサを有する。例えば、センサを毛髪処理装置に取り付けることができる。しかしながら、代替として又は追加として、センサは、毛髪処理装置へのアタッチメントの一部でもあり得る。例えば、そのようなアタッチメントの１つは、ヘアドライヤー用の着脱が容易なノズルであり得る。代替として又は追加として、センサは、本質的にデータ収集のみに使用される個別の構成要素の一部として提供されることも可能である。
【００１６】
前記センサは、毛髪の状態に基づくパラメータを生成することができる様々な関連データを測定することができる。そのようなデータは、例えば、毛髪の温度、一貫性又は水分である。これらのデータは、毛髪上で直接測定されてもよいが、間接的に測定することもできる。例えば、毛髪の温度は、毛髪に置かれた構成要素の温度、例えば、毛髪と接触する加熱要素の温度等に影響を及ぼす。他の有用なデータがまた、毛髪が少なくとも１つの表面上を引かれる引張力を測定することによって生成されてもよい。単一の表面、又は複数、詳細には２つの表面を使用して、測定値を得ることができる。２つの表面の場合には、２つの表面は互いに圧接される。毛髪をまっすぐにする器具の２つの加熱表面、又は髪巻きアイロンの加熱表面及び把持表面もまた可能である。
【００１７】
このデータから毛髪の状態に基づくパラメータを生成することができる。これは、２つの値から選ばれた単純パラメータ、又は前もって決められた数の値から選ばれたパラメータ、又は更には一連の数値から選ばれたパラメータであってもよい。本発明によると、このパラメータは次に、温度制御に影響を及ぼすことになり、影響は単に温度の上昇又は低下の形態であってもよい。パラメータが、一定の温度曲線に沿って温度を変えることも可能である。
【００１８】
センサが温度データを毛髪処理装置用に分類する場合、特に有利であることが分かった。詳細には、毛髪の状態に基づく温度差のパラメータを生成することができる２つのセンサを有する毛髪処理装置を提供することが可能である。例えば、処理温度は、温度差が著しい場合は上げることができ、無視できる場合は下げることができる。
【００１９】
本発明によるセンサを温度制御として使用することは、毛髪をまっすぐにする器具、すなわち、いわゆる「フラットアイロン」の場合には特に有利であることが示された。そのような装置は典型的には、折り畳んだ状態から伸ばすことができ、一緒にかつその間に毛髪を送り込むことができる２つのアームを有する。一般に、少なくとも１つのアームは加熱表面を有し、双方のアームが加熱表面を有することも多い。対向するアームは、毛髪が加熱表面に押され得る接触面を有してもよい。しかしながら、毛髪をまっすぐにする器具の構成はしばしば対称であり、すなわち、他方の加熱表面の接触面としても機能する対向する２つの加熱表面がある。毛髪は、送り通す方向に毛髪をまっすぐにする器具を通って誘導される。同時に、毛髪は、第１の加熱表面の前方区分に最初誘導され、次に加熱表面の後方区分、すなわち、前方区分の後ろの送り通す方向の部分に誘導される。本発明によると、第１のセンサが今や前方区分に提供され、第２のセンサが後部区分に提供され得る。第２のセンサは、次に、加熱表面上のそれぞれの温度を測定し、（装置を）通って誘導される毛髪の種類及び状態にもまた基づく温度差につながり得る。
【００２０】
別の態様では、本発明はまた、毛髪の状態に基づいて処理温度を自動的に調節する加熱式毛髪処理の方法に関する。そのような方法は、詳細には、毛髪処理装置の毛髪との最初の接触が設定温度で起こる毛髪処理装置として使用される、毛髪をまっすぐにする器具であってもよい。次に、第１のセンサと第２のセンサとの間で測定される温度差次第で、この設定温度は変更することができる。詳細には、２つのセンサ間で著しい温度差が測定されるとき、設定温度が上がることが可能である。その一方で、２つのセンサ間で無視できる温度差が測定されるとき、設定温度が下がる。
【００２１】
本発明は、髪巻きアイロンを備えた毛髪処理装置として使用することができる。図１は、透明窓１１２を備えるハンドル１１０を有する好適な髪巻きアイロンを示す。この透明窓１１２によって、ガスカートリッジのレベルを見ることができる。したがって、本発明はまた、非電気式装置、すなわち、例えば触媒を用いたガスの燃焼によって熱出力を生成する、例えばガソリンエンジン［装置］と共に使用することもできる。装置は、オン・オフスイッチとして機能するスイッチ１２０を有する。原理では、スイッチが複数の開始温度をあらかじめ設定できるようにすることもまた考えられる。装置はまた、円筒棒１３２及びクランプ１３４を含む毛髪処理ユニットを有する。制御レバー１３６によって、クランプ１３４を円筒棒１３２から外すことができ、まっすぐにする毛髪を円筒棒１３２とクランプ１３４との間に挿入することができる。少なくとも１つのセンサ、又は更には２つのセンサを、髪巻きアイロン１００の様々な箇所に取り付けることが可能である。第１のセンサを取り付けるために部分１４０を使用すること、及び代替として又は追加として、第２のセンサを取り付けるために部分１４２を使用することは特に有利である。そうすることで、センサはクランプ１３４の左右に位置する。結果として、それらのセンサは、髪巻きアイロンに直接誘導される毛髪に接触し、髪巻きアイロンのその部分を去る毛髪にもまた接触する。
【００２２】
図２は、本発明による別の毛髪処理装置を表わす毛髪をまっすぐにする器具を示す。毛髪をまっすぐにする器具２００は、把持部分２１０及び毛髪処理区分２３０を有する。把持部分は、第１の把持部分２１２及び第２の把持部分２１４を含み、双方は毛髪をまっすぐにする器具２００のアームの一部である。連結ジョイント２１６は２つのアームを連結する。ケーブル２１８は、毛髪をまっすぐにする器具２００の末端部に備えられる。したがって、これは電動の毛髪処理装置である。温度制御２２０もまた備えられる。図示されたダイヤルの形態で、所望の開始温度を前もって選択するのが容易である。温度制御２２０はまた、「オン」スイッチとして作用してもよい。あるいは、装置は、例えば、電気網にケーブル２１８を接続したり、電源からケーブルを取り外すことによってオン・オフにすることができる。毛髪処理区分２３０は、第１のアーム２３２の毛髪処理区分及び第２のアーム２３４の毛髪処理区分を含む。第１のアーム２３２上に見えるのは、把持部分２３６である。類似の対向する把持部分を第２のアーム２３４の毛髪処理末端部に設けることもまたできる。第２のアーム２３４の毛髪処理区分２３４に見えるのは、加熱要素２３８である。対応する加熱要素を第１のアーム２３２の毛髪処理区分に設けることもまたできる。あるいは、非加熱の接触板をその部分に設けることができる。
【００２３】
加熱要素２３８は１つ、又は２つ以上のセンサを備えることができる。部分２４０に１つのセンサ、及び部分２４２に別のセンサを備えることは有利である。そうすることで、センサは、最初に部分２４０を通過し、次に部分２４２を通過する、送り通す方向の毛髪の温度を測定することができる。
【００２４】
図３は、例えば、毛髪をまっすぐにする器具２００の第１の加熱要素２３８として使用することができる加熱要素を横方向に切断した概略図を示す。加熱表面２５０が下方に向いている横断方向の切断面が見える。加熱表面２５０は、一般的にＵ字型の金属の加熱要素の一部である。加熱要素２６０は、加熱表面２５０の反対側である、加熱要素の裏面に設けられる。加熱要素２６０は、抵抗性の熱によって基本的に加熱される。それは、熱を加熱要素及び加熱表面２５０に通す。加熱要素の側面、具体的には第１のＵ字型脚に設けられるのは、第１のセンサ２７０である。この場合、加熱要素が毛髪をまっすぐにする器具に適切に取り付けられるとき、第１のセンサは部分２４０に位置する。反対側のもう一方のＵ字型脚の側面に設けられるのは、第２のセンサ２７２である。この場合、第２のセンサは部分２４２に対応する。追加のセンサを、部分２４０及び部分２４２の双方に設けることができる。加熱表面２５０が毛髪と接触するとき、第１のセンサ２７０は、毛髪をまっすぐにする器具に送り込まれる毛髪に特有の温度を測定することができ、第２のセンサ２７２は、毛髪をまっすぐにする器具を出る毛髪に特有の値を測定することができる。更に、この場合、第３のセンサ２７４が加熱要素２６０に直接隣接して設けられている。第３のセンサによって、温度曲線を更により正確に定めることができる。詳細には、第３のセンサは、特定かつ一定の値で、前記値が変わらないという条件で、加熱要素の温度を保持することにも役立ち得る。
【００２５】
図４は、ヘアドライヤー３００の斜視図を示す。１つの際立って特徴的な要素は、「オン」スイッチ３２０を含むハンドル３１０である。「オン」スイッチは、空気の流れを１つの固定温度にまで上げる役目をするが、スイッチで選択することができる２つ又は３つの温度レベルが更にあることが多い。本質的に熱風出口ノズルは、熱風を出口方向３３２に送風するヘアドライヤー３００の毛髪処理部３３０としてとらえることができる。毛髪処理部３３０はまた、溝状のくぼみの形で作製された接続要素３３４も含む。この接続要素３３４は、アタッチメント４００への接続を容易にする。アタッチメント４００は、溝に挿入することができる突出部として構成される対応する接続要素４１０を備える。アタッチメント４００は、棒状又は管状の複数の空気出口要素４２０を有する。ウェーブのかかったヘアスタイルでは、空気出口要素４２０は、熱風を毛髪の深部まで入れる。空気はまた、空気出口要素の最下部で追加の管（ここでは見えない）によって出ることもできる。典型的には、空気出口要素の最上部と最下部分との間に数センチメートルの距離がある。第１及び第２のセンサをそのような間隙に設けることができる。例えば、第１のセンサの部分４４０は、空気出口要素４２０の最下部に位置することができる。第２のセンサの部分４４２は、空気出口要素４２０の末端部に位置することができる。そこに取り付けられたセンサは、ひいては温度差が測定できるように、例えば、温度センサであってもよい。しかしながら、水分差が測定されることも可能である。対応するデータが、ひいてはヘアドライヤー３００の温度を調節することができるパラメータを生成する。パラメータは、毛髪処理装置に、この場合はヘアドライヤーに、有線又は無線方法で部分的に伝送され得る。
【００２６】
したがって、精密に説明した位置に２つのセンサを備えること、及び本明細書で説明する本発明の他の実施形態によって、非常に便利で、自動化され、効率的な毛髪乾燥プロセスを提供し、かつ対応する装置を提供することができる。
【表１】
0005475127.tif 000002
【図１】
0005475127.tif 000003
【図２】
0005475127.tif 000004
【図３】
0005475127.tif 000005
【図４】
0005475127.tif 000006